(57)【要約】【課題】撮影時間の限られた被写体をより確実に撮影することができる撮像装置を提供する。【解決手段】画像保存部１５は、被写体の連写によって撮像素子１１で生成された画像データを保持する。輝度値検出部１２は、画像データの各画素の輝度値を検出する。累積演算制御部１３は、画像データの各画素の輝度値を累積加算した累積輝度値を算出し、累積輝度値保存部１４ａと１４ｂのいずれかに保存する。累積輝度値比較部１６は、累積輝度値保存部１４ａおよび１４ｂに保持されている累積輝度値を比較する。画像保存制御部１７は、比較結果に基づいて、画像保存部１５に保存されている画像データの中から記録用の画像データを選択する。【選択図】図１
2008085463.tif 000002
【特許請求の範囲】
【請求項１】
連写機能を有し、被写体を撮像する撮像手段と、
前記被写体の連写によって生成された複数の画像データの各々の評価値を算出する評価値算出手段と、
前記評価値に基づいて前記複数の画像データの中から記録用の画像データを選択する選択手段と、
前記選択手段によって選択された画像データを記録する記録手段と、
を備えたことを特徴とする撮像装置。
【請求項２】
前記評価値算出手段は、画像データの各画素の輝度値を累積加算することにより前記評価値を算出することを特徴とする請求項１に記載の撮像装置。
【請求項３】
前記評価値算出手段は、画像データの各画素のうち、所定の色となっている画素の数を算出することにより前記評価値を算出することを特徴とする請求項１に記載の撮像装置。
【請求項４】
前記選択手段は、前記複数の画像データのうち、前記評価値が最大となった画像データを選択することを特徴とする請求項２または請求項３に記載の撮像装置。
【請求項５】
前記選択手段は、前記複数の画像データのうち、前記評価値が最小となった画像データを選択することを特徴とする請求項３に記載の撮像装置。
【請求項６】
複数の前記評価値を記憶可能な評価値記憶手段と、
複数の前記画像データを記憶可能な画像記憶手段とをさらに備え、
前記選択手段は、
前記評価値記憶手段によって記憶されている前記複数の評価値を比較する比較手段と、
前記評価値の比較結果に基づいて、前記評価値記憶手段によって記憶されている前記評価値のいずれかに他の前記評価値を上書きする評価値記憶制御手段と、
前記評価値の比較結果に基づいて、前記画像記憶手段によって記憶されている画像データのいずれかに他の画像データを上書きする画像記憶制御手段とを備える
ことを特徴とする請求項１〜請求項５のいずれかに記載の撮像装置。
【請求項７】
前記記録手段は、前記選択手段によって選択された画像データのみを記録することを特徴とする請求項１〜請求項６のいずれかに記載の撮像装置。
【発明の詳細な説明】
【技術分野】
【０００１】
本発明は、画像データを記録可能なディジタルカメラ等の撮像装置に関する。
【背景技術】
【０００２】
撮影時間の限られた被写体の一例である花火の最良な画像とは、花火が全開となる一瞬の画像であり、花火の最良な画像を撮影するためには、花火が打ち上げられ、花火の全開となる一瞬にレリーズ動作を行う必要がある。しかし、レリーズタイムラグにより、例えば花火のような撮影時間の限られた被写体の撮影は難しい。
【０００３】
上記の問題点に関して、特許文献１に記載された発明では、電子カメラに花火撮影モードを設け、花火撮影モードが選択されると、レリーズ操作前に露光時間、レンズピント、およびホワイトバランス調整値をあらかじめ決められた固定値に設定する。レリーズ操作後は、上記の設定を改めて調整することなく、撮影動作に移行する。このようにして、レリーズタイムラグを極力短縮することで、撮影時間の限られた被写体を撮影している。
【特許文献１】特開２００１−３１１９７７号公報
【発明の開示】
【発明が解決しようとする課題】
【０００４】
しかしながら、特許文献１に記載された発明では、花火の全開となる一瞬の撮影において、露光時間を固定し、かつマニュアルで撮影を行うため、花火が全開となる一瞬の撮影タイミングをとらえて撮影を行うことは難しい。従って、撮影時間の限られた被写体の最適画像を撮影する機会を失う可能性が高い。
【０００５】
本発明は、上述した課題に鑑みてなされたものであって、撮影時間の限られた被写体をより確実に撮影することができる撮像装置を提供することを目的とする。
【課題を解決するための手段】
【０００６】
本発明は、上記の課題を解決するためになされたもので、連写機能を有し、被写体を撮像する撮像手段と、前記被写体の連写によって生成された複数の画像データの各々の評価値を算出する評価値算出手段と、前記評価値に基づいて前記複数の画像データの中から記録用の画像データを選択する選択手段と、前記選択手段によって選択された画像データを記録する記録手段とを備えたことを特徴とする撮像装置である。
【０００７】
また、本発明の撮像装置において、前記評価値算出手段は、画像データの各画素の輝度値を累積加算することにより前記評価値を算出することを特徴とする。
【０００８】
また、本発明の撮像装置において、前記評価値算出手段は、画像データの各画素のうち、所定の色となっている画素の数を算出することにより前記評価値を算出することを特徴とする。
【０００９】
また、本発明の撮像装置において、前記選択手段は、前記複数の画像データのうち、前記評価値が最大となった画像データを選択することを特徴とする。
【００１０】
また、本発明の撮像装置において、前記選択手段は、前記複数の画像データのうち、前記評価値が最小となった画像データを選択することを特徴とする。
【００１１】
また、本発明の撮像装置は、複数の前記評価値を記憶可能な評価値記憶手段と、複数の前記画像データを記憶可能な画像記憶手段とをさらに備え、前記選択手段は、前記評価値記憶手段によって記憶されている前記複数の評価値を比較する比較手段と、前記評価値の比較結果に基づいて、前記評価値記憶手段によって記憶されている前記評価値のいずれかに他の前記評価値を上書きする評価値記憶制御手段と、前記評価値の比較結果に基づいて、前記画像記憶手段によって記憶されている画像データのいずれかに他の画像データを上書きする画像記憶制御手段とを備えることを特徴とする。
【００１２】
また、本発明の撮像装置において、前記記録手段は、前記選択手段によって選択された画像データのみを記録することを特徴とする。
【発明の効果】
【００１３】
本発明によれば、被写体の連写によって生成された複数の画像データの中から、評価値に基づいて記録用の画像データを選択することによって、最適な画像データを選択することが可能となる。従って、撮影時間の限られた被写体をより確実に撮影することができる。
【発明を実施するための最良の形態】
【００１４】
以下、図面を参照し、本発明の実施形態を説明する。
【００１５】
（第１の実施形態）
図１は、本発明の第１の実施形態による撮像装置の構成を示している。本実施形態では、花火の撮影を想定している。図１において、撮像素子１１は被写体を撮像するものであって、図示せぬレンズによって結像された被写体像を、光電変換により電気信号に変換する。撮像素子１１の各画素上には、Ｒ（赤）、Ｇｒ，Ｇｂ（緑）、およびＢ（青）の色フィルタが、図２に示すようなベイヤー配列で配列されているとする。ここで、破線で囲まれた赤（Ｒ）、２種類の緑（Ｇｒ，Ｇｂ）、青（Ｂ）の各色フィルタに対応する各画素からの４つのデータからなるデータ群２０１をベイヤーデータと呼び、このベイヤーデータをもって１画素のデータが構成される。また、本実施形態による撮像装置は連写機能を備えており、図示せぬレリーズボタンが押されている間、撮像素子１１から連続的に画像データが出力される。
【００１６】
輝度値検出部１２は、入力された画像データの各画素の輝度値を検出する。累積演算制御部１３は、画像データの特性を評価するための評価値を算出する機能や、その評価値を累積輝度値保存部１４ａと１４ｂに保存する機能を有している。本実施形態では、画像データを構成する各画素の輝度値を全画素について累積加算した累積輝度値が画像データの評価値である。累積輝度値保存部１４ａおよび１４ｂはＳＤＲＡＭ（Synchronous Dynamic Random Access Memory）等で構成されており、累積演算制御部１３によって算出された累積輝度値を保持する。
【００１７】
画像保存部１５はＳＤＲＡＭ等で構成され、被写体の連写によって撮像素子１１で生成された画像データを保持する。図３に示すように画像保存部１５は、２画像分の保存領域として、画像保存領域２１および２２を備えている。累積輝度値比較部１６は、累積輝度値保存部１４ａおよび１４ｂに保持されている累積輝度値を比較する。比較結果を示す信号は累積演算制御部１３および画像保存制御部１７へ出力される。累積演算制御部１３は、比較結果に基づいて、累積輝度値保存部１４ａと１４ｂのどちらに累積輝度値を保存するのかを制御する。累積輝度値保存部１４ａおよび１４ｂには、初期値として０が格納され、累積演算制御部１３が累積輝度値を算出する毎に、累積輝度値保存部１４ａと１４ｂのいずれかに保存されている累積輝度値が上書きされる。
【００１８】
画像保存制御部１７は、累積輝度値比較部１６による累積輝度値の比較結果に基づいて、画像保存部１５の画像保存領域２１と２２のどちらに画像データを保存するのかを制御する。画像保存領域２１または２２に画像データが書き込まれる際には、その画像保存領域に既に格納されている画像データは、新たな画像データによって上書きされる。画像保存制御部１７は、記録媒体１８に記録される記録用の画像データの読み出しも制御する。記録媒体１８はフラッシュメモリ等で構成され、画像保存部１５に保存されている画像データを記録する。なお、累積輝度値保存部１４ａに保存される累積輝度値は画像保存領域２１の画像データに対応し、累積輝度値保存部１４ｂに保存される累積輝度値は画像保存領域２２の画像データに対応している。
【００１９】
次に、図４および図５を参照しながら、本実施形態による撮像装置の動作を説明する。撮像素子１１で画像が撮影される前に、累積演算制御部１３は、累積輝度値保存部１４ａと１４ｂに保存されている累積輝度値を０に初期化し（ステップＳ１）、累積輝度値の保存先として累積輝度値保存部１４ａを指定する（ステップＳ２）。続いて、撮影モードに入る。これらのステップＳ１〜Ｓ２の処理が撮影モード前の初期化処理となる。
【００２０】
撮影モードに移行したら、レリーズボタンが押されているかどうかが、図示せぬ制御部によって判定される（ステップＳ３）。レリーズボタンが押されていた場合には、連写機能により撮像素子１１から画像データが順次出力される。出力された画像データは１画素ずつ順次、画像保存部１５の所定の画像保存領域に保存される（ステップＳ４）。撮影モードに移行後の最初の画像データは画像保存領域２１に保存される。
【００２１】
また、同じ画像データが輝度値検出部１２に入力され、輝度値検出部１２は入力された画像データの１画素の輝度値を検出し、累積演算制御部１３へ出力する（ステップＳ５）。累積演算制御部１３は、所定の累積輝度値保存部に保存されている累積輝度値を読み出し、輝度値検出部１２によって検出された輝度値を累積輝度値に加算する（ステップＳ６）。累積演算制御部１３は、輝度値を加算した累積輝度値を所定の累積輝度値保存部に保存する（ステップＳ７）。
【００２２】
この際に、累積輝度値保存部１４ａまたは１４ｂに元々保存されていた累積輝度値は、輝度値の加算によって更新された新たな累積輝度値で上書きされる。ここで、撮影モードに移行後の最初の画像データが入力されている場合には、累積演算制御部１３は累積輝度値保存部１４ａに累積輝度値を保存し、それ以降の画像データが入力されている場合には、累積演算制御部１３は、後述するステップＳ１２またはＳ１５で指定した累積輝度値保存部に累積輝度値を保存する。
【００２３】
続いて、図示せぬ制御部によって、１画像データを構成する全画素について処理を行ったかどうかが判定され（ステップＳ８）、処理を行っていない画素がある場合には、全画素について処理を行うまでステップＳ４〜Ｓ７の処理が行われ、全画素について処理を行った場合には、ステップＳ９の処理に移行する。ステップＳ９では、累積輝度値比較部１６は、累積輝度値保存部１４ａと１４ｂのそれぞれから累積輝度値を読み出してそれらの値を比較し、比較結果を累積演算制御部１３および画像保存制御部１７へ出力する(ステップＳ９)。
【００２４】
累積輝度値保存部１４ａに保存されている累積輝度値の方が、累積輝度値保存部１４ｂに保存されている累積輝度値よりも大きい場合（ステップＳ１０でＹＥＳの場合）、累積演算制御部１３は、比較結果に基づいて、累積輝度値保存部１４ｂに保存されている累積輝度値を０に初期化する（ステップＳ１１）。続いて、累積演算制御部１３は、累積輝度値の保存先として累積輝度値保存部１４ｂを指定する（ステップＳ１２）。また、画像保存制御部１７は、比較結果に基づいて、次の画像データの保存先として画像保存領域２２を指定する（ステップＳ１３）。続いて、処理はステップＳ３に戻る。
【００２５】
また、累積輝度値保存部１４ａに保存されている累積輝度値が、累積輝度値保存部１４ｂに保存されている累積輝度値以下であった場合（ステップＳ１０でＮＯの場合）、累積演算制御部１３は、比較結果に基づいて、累積輝度値保存部１４ａに保存されている累積輝度値を０に初期化する（ステップＳ１４）。続いて、累積演算制御部１３は、累積輝度値の保存先として累積輝度値保存部１４ａを指定する（ステップＳ１５）。また、画像保存制御部１７は、比較結果に基づいて、次の画像データの保存先として画像保存領域２１を指定する（ステップＳ１６）。続いて、処理はステップＳ３に戻る。
【００２６】
レリーズボタンが押されている間、本実施形態では、連写により画像が撮影され続け、累積輝度値と画像データが更新され続ける。そして、レリーズボタンがＯＦＦとなったら（ステップＳ３でＮＯの場合）、画像保存制御部１７は、画像保存部１５に画像データが保存されているか否かを判定する（ステップＳ１７）。画像保存部１５に画像データが保存されていなかった場合には、処理はステップＳ３に戻る。
【００２７】
また、画像保存部１５に画像データが保存されていた場合には、画像保存制御部１７からの指示を受け、累積輝度値比較部１６は累積輝度値保存部１４ａと１４ｂのそれぞれから累積輝度値を読み出してそれらの値を比較し、比較結果を画像保存制御部１７へ出力する（ステップＳ１８）。
【００２８】
累積輝度値保存部１４ａに保存されている累積輝度値の方が、累積輝度値保存部１４ｂに保存されている累積輝度値よりも大きい場合（ステップＳ１９でＹＥＳの場合）、画像保存制御部１７は、比較結果に基づいて、画像保存部１５の画像保存領域２１に保存されている画像データを記録用の画像データとして選択し、その画像データが画像保存部１５から読み出されるように制御する。記録媒体１８は、読み出された画像データを記録する（ステップＳ２０）。
【００２９】
また、累積輝度値保存部１４ａに保存されている累積輝度値が、累積輝度値保存部１４ｂに保存されている累積輝度値以下であった場合（ステップＳ１９でＮＯの場合）、画像保存制御部１７は、比較結果に基づいて、画像保存部１５の画像保存領域２２に保存されている画像データを記録用の画像データとして選択し、その画像データが画像保存部１５から読み出されるように制御する。記録媒体１８は、読み出された画像データを記録する（ステップＳ２１）。上記のようにして画像データが記録媒体１８に記録されると、撮影モードが終了する。
【００３０】
上述した処理では、画像保存部１５の画像保存領域２１と２２に保存されている画像データが上書きされる場合には、２つの累積輝度値保存部に保存されている累積輝度値のうち、小さい方の累積輝度値に対応した画像データが、新たな画像データによって上書きされる。従って、連写により生成された複数の画像データのうち、累積輝度値が最大となった画像データが、上書きされずに画像保存領域２１と２２のいずれかに残り続けることになる。
【００３１】
そして、最終的に、最大の累積輝度値に対応した画像データが記録用の画像データとして選択されて、記録媒体１８に記録されることになる。花火が全開となった瞬間が最適な撮影タイミングであるとすれば、最大の累積輝度値に対応した画像データが最適な画像データである。このように、花火の連写によって生成された複数の画像データの中から、累積輝度値に基づいて記録用の画像データを選択することによって、最適な画像データを選択することが可能となる。従って、本実施形態によれば、撮影時間の限られた被写体をより確実に撮影することができる。
【００３２】
また、最適な画像データを選択するのに用いる画像データの評価値として、画像データを構成する各画素の輝度値を累積加算した累積輝度値を用いることによって、花火のような被写体の最適な画像データを容易に選択することができる。さらに、累積輝度値が最大となった画像データを選択することによって、最も明るくなった瞬間が最適な撮影タイミングである被写体の最適な画像データを選択することができる。さらに、選択した画像データのみを記録することによって、撮像装置内部の回路規模および記録媒体１８の記録領域を削減することができる。
【００３３】
また、本実施形態では、累積輝度値の比較結果に基づいて、累積輝度値保存部１４ａと１４ｂに保存されている累積輝度値のいずれかに新たな累積輝度値が上書きされ、画像保存部１５の画像保存領域２１と２２に保存されている画像データのうち、上書きによって消去された累積輝度値に対応した画像データに新たな画像データが上書きされる。これによって、最適な画像データである可能性のある画像データ、およびそれに対応した累積輝度値を常に残しながら、かつ、順次生成されるデータを保存する領域も確保しながら、最適な画像データを選択する処理を行う回路を、回路規模を必要以上に増大させずに実現することができる。
【００３４】
なお、本実施形態の構成に対しては各種の変形、変更が可能である。例えば、本実施形態では、画像保存部１５に保存されている２つの画像データのうち、累積輝度値が最大となる画像データのみが記録媒体１８に記録されるが、両方の画像データが記録されるようにしてもよい。また、保存可能な累積輝度値の数および画像データの数は３つ以上であってもよい。これによって、より速い連写機能に対応して処理を行うことが可能となり、例えば花火のような撮影時間の限られた被写体をより確実に撮影することが可能となる。また、撮影者が、最終的に記録媒体１８に記録される画像を選択することが可能となる。一方、本実施形態のように、保存可能な累積輝度値の数および画像データの数を２つとした場合には、回路規模を最小とすることができる。
【００３５】
（第２の実施形態）
次に、本発明の第２の実施形態を説明する。図６は、本実施形態による撮像装置の構成を示している。以下では、第１の実施形態と異なる部分のみを説明する。本実施形態では、新たに画素判定部５１、画素値保存部５２、画素数保存部５３ａ，５３ｂ、および画素数比較部５４が設けられている。画素判定部５１は、画像データの各画素の色が所定の色であるか否かを判定する。この判定には、ＲＧＢデータの色相を示す色相情報が用いられる。この色相情報は、ベイヤーデータを構成するＲ，Ｇｒ，Ｇｂ，Ｂの各データの値の所定範囲を示しており、あらかじめ画素値保存部５２に保存されている。
【００３６】
画素数保存部５３ａ，５３ｂは、画像データを構成する各画素のうち、所定の色となっている画素の数を保持する。画素数比較部５４は、画素数保存部５３ａおよび５３ｂに保持されている累積画素数を比較する。比較結果を示す信号は累積演算制御部１３および画像保存制御部１７へ出力される。
【００３７】
本実施形態では、画像を撮影する前に、あらかじめ画素値保存部５２に任意の色相情報を保存しておく必要がある。画素値保存部５２に任意の色相情報を保存した後に、本実施形態の撮影モードとなる。撮像素子１１からのベイヤーデータは画素判定部５１に入力される。１画素のベイヤーデータは図２のデータ群２０１で構成されており、データ群２０１を構成する各データが画素判定部５１に入力されるタイミングは異なっている。画素判定部５１での判定のタイミングを合わせるため、図７に示す遅延部６２が画素判定部５１に設けられている。
【００３８】
遅延部６２は、撮像素子１１からのベイヤーデータ６１を構成するＲデータ６３ａ、Ｇｒデータ６３ｂ、Ｇｂデータ６３ｃ、Ｂデータ６３ｄの同期をとり、ベイヤーデータを判定部６４に入力させる。図８は遅延部６２の詳細な内部構成を示している。Ｒデータ６３ａとＧｂデータ６３ｃの間、およびＧｒデータ６３ｂとＢデータ６３ｄの間には、１ライン分の入力遅延があるため、例えば、ラインメモリ７１などで、１ライン分の遅延の同期がとられる。
【００３９】
また、Ｒデータ６３ａとＧｒデータ６３ｂの間、およびＧｂデータ６３ｃとＢデータ６３ｄの間には１周期分の入力遅延があるため、フリップフロップ７２ａ，７２ｂを用いて、１周期分の同期がとられる。同期がとられた後、判定部６４によって、以下のようにして判定が行われる。例えば、判定部６４に入力されたベイヤーデータについて、Ｒデータ６３ａの値ＲがＷ１≦Ｒ≦Ｗ２の範囲内であるか否かが判定され、Ｇｒデータ６３ｂの値ＧｒがＸ１≦Ｇｒ≦Ｘ２の範囲内であるか否かが判定され、Ｇｂデータ６３ｃの値ＧｂがＹ１≦Ｇｂ≦Ｙ２の範囲内であるか否かが判定され、Ｂデータ６３ｄの値ＢがＺ１≦Ｂ≦Ｚ２の範囲内であるか否かが判定される。この際に、画素値保存部５２に保存されている色相情報が読み出されて参照される。
【００４０】
Ｒデータ６３ａ、Ｇｒデータ６３ｂ、Ｇｂデータ６３ｃ、Ｂデータ６３ｄのどのデータ値も上記の範囲内の値であった場合、特定の色味であると判定される。判定結果は累積演算制御部１３へ出力される。判定対象の画素が特定の色味であると判定された場合には、累積演算制御部１３は画素数保存部５３ａと５３ｂの一方の画素数を１だけ増加させる。画素数保存部５３ａと５３ｂのうち、どちらに保存されている画素数が更新されるのかは、第１の実施形態と同様にして決定される。
【００４１】
画像データを構成する全画素について上記の判定が行われた後に画素数保存部５３ａまたは５３ｂに保存されている画素数は、その画像データについて、特定の色味を有する画素の総数となる。すなわち、画素判定部５１、累積演算制御部１３、および画素数保存部５３ａ，５３ｂの動作によって、特定の色味を有する画素の数が算出されることになる。第１の実施形態と同様に、この画素数を比較した結果に基づいて、画素数および画像データの保存先の決定と記録用の画像データの選択とが行われる。
【００４２】
本実施形態は、高速で移動する車等の被写体の撮影に好適である。例えば、移動中の被写体の色に関する色相情報を画素値保存部５２にあらかじめ格納しておいた場合、画素数保存部５３ａと５３ｂに保存される画素数は、被写体が写っている画素の数となる。移動中の被写体が画像内で最大となった瞬間が最適な撮影タイミングであるとすれば、最大の画素数に対応した画像データが最適な画像データである。このように、高速で移動する被写体の連写によって生成された複数の画像データの中から、所定の色となっている画素の数に基づいて記録用の画像データを選択することによって、最適な画像データを選択することが可能となる。従って、本実施形態によれば、撮影時間の限られた被写体をより確実に撮影することができる。
【００４３】
なお、本実施形態の構成に対しては、第１の実施形態と同様に、各種の変形、変更が可能である。本実施形態では、画素数が最大となる画像データが、最適な画像データとして記録媒体１８に記録されるが、画素数が最小となる画像データを、最適な画像データとして記録媒体１８に記録してもよい。この場合、被写体ではなく背景の色に関する色相情報を画素値保存部５２にあらかじめ格納しておけばよい。移動中の被写体が画像内で最大となった瞬間が最適な撮影タイミングであるとすれば、背景が画像内で最小となった瞬間が最適な撮影タイミングであり、最小の画素数に対応した画像データが最適な画像データとなる。このようにすれば、被写体の色をあらかじめ特定することができない場合（例えば、様々な色の車を撮影したい場合）でも、背景の色をあらかじめ特定することができれば、撮影を行うことが可能となる。
【００４４】
また、本実施形態では、画素毎の判定にベイヤーデータを使用しているが、それに限らず、図７の遅延部６２の前段に、ＲＧＢデータをＹＣｂＣｒデータに変換する手段を設け、クロマデータ（ＣｂデータとＣｒデータ）で判定を行ってもよい。これにより、ＲデータとＧｒデータとＧｂデータとＢデータの４つのデータで判定を行うのに対して、ＣｂデータとＣｒデータの２つのデータのみで判定を行うことによって、画素判定部５１の制御を簡単化することが可能となる。さらに、画素値保存部５２に保存される色相データは１つに限らず、２つ以上の色相データを保存してもよい。
【００４５】
以上、図面を参照して本発明の実施形態について詳述してきたが、具体的な構成はこれらの実施形態に限られるものではなく、本発明の要旨を逸脱しない範囲の設計変更等も含まれる。
【図面の簡単な説明】
【００４６】
【図１】本発明の第１の実施形態による撮像装置の構成を示すブロック図である。
【図２】本発明の第１の実施形態における画像データのデータ構成を説明するための参考図である。
【図３】本発明の第１の実施形態による撮像装置が備える画像保存部の構成を示す構成図である。
【図４】本発明の第１の実施形態による撮像装置の動作の手順を示すフローチャートである。
【図５】本発明の第１の実施形態による撮像装置の動作の手順を示すフローチャートである。
【図６】本発明の第２の実施形態による撮像装置の構成を示すブロック図である。
【図７】本発明の第２の実施形態による撮像装置が備える画素判定部の構成を示すブロック図である。
【図８】本発明の第２の実施形態による撮像装置が備える画素判定部内の遅延部の構成を示すブロック図である。
【符号の説明】
【００４７】
１１  撮像素子（撮像手段）、１２  輝度値検出部、１３  累積演算制御部（評価値算出手段）、１４ａ，１４ｂ  累積輝度値保存部（評価値記憶手段）、１５  画像保存部（画像記憶手段）、１６  累積輝度値比較部（比較手段）、１７  画像保存制御部（画像記憶制御手段）、１８  記録媒体（記録手段）、５１  画素判定部、５２  画素値保存部、５３ａ，５３ｂ  画素数保存部（評価値記憶手段）、５４  画素数比較部（比較手段）
【図１】
2008085463.tif 000003
【図２】
2008085463.tif 000004
【図３】
2008085463.tif 000005
【図４】
2008085463.tif 000006
【図５】
2008085463.tif 000007
【図６】
2008085463.tif 000008
【図７】
2008085463.tif 000009
【図８】
2008085463.tif 000010